(57)【要約】【課題】  負荷回路の電流の変化に対する応答性がよい電源装置を提供する。【解決手段】  電源装置に接続された機器のシステム制御部から、機器の動作の情報を受信し、設定情報として、電圧設定部に設定する。電圧設定部が設定する電圧を、接続された機器の動作状態に応じて制御することで、安定な出力直流電圧を供給することが可能な電源装置を提供する。【選択図】図１
2009005524.tif 000002
【特許請求の範囲】
【請求項１】
入力電圧をスイッチングして接続される機器に出力する電源装置であって、
前記入力電圧を検出し、検出された結果に応じた第１の信号を出力する電圧検出手段と、
接続される機器と通信し、接続される機器の動作状態に関連する情報を取得する通信制御手段と、
電子機器の動作状態に基づいて出力電圧を設定し、設定した出力電圧に関連する第２の信号を出力する電圧設定手段と、
前記第１および第２の信号に基づき第３の信号を出力する制御信号発生手段と、
前記第３の信号に基づいて前記入力電圧をスイッチングするスイッチング手段とを有することを特徴とする電源装置。
【請求項２】
前記通信制御手段は、前記接続された機器の起動時に接続される機器の動作状態に関連する情報を取得することを特徴とする請求項１に記載の電源装置。
【請求項３】
前記通信制御手段は、前記接続された機器の動作中に接続される機器の動作状態に関連する情報を取得することを特徴とする請求項１に記載の電源装置。
【請求項４】
前記電圧設定手段は、設定した出力電圧に関連する第２の信号を記憶する記憶部を有することを特徴とする請求項１乃至請求項３のいずれか１項に記載の電源装置。
【請求項５】
動作状態を出力可能な電子機器であって、
入力電圧を検出し、検出された結果に応じた第１の信号を出力する電圧検出手段と、
電子機器の動作状態に基づいて出力電圧を設定し、設定した出力電圧に関連する第２の信号を出力する電圧設定手段と、
前記第１および第２の信号に基づき第３の信号を出力する制御信号発生手段と、
前記第３の信号に基づいて前記入力電圧をスイッチングするスイッチング手段とを有することを特徴とする電子機器。
【請求項６】
前記電圧設定手段は、設定した出力電圧に関連する第２の信号を記憶する記憶部を有することを特徴とする請求項５に記載の電子機器。
【発明の詳細な説明】
【技術分野】
【０００１】
本発明は、入力電圧をスイッチングして接続される機器に出力する電源装置および動作状態を出力可能な電子機器に関する。
【背景技術】
【０００２】
従来より、例えば入力直流電圧が印加される入力端子と機器の負荷回路との間に電圧制御素子であるトランジスタ等からなる電圧降下回路を設け、その電圧降下回路での電圧の降下量を制御し、所望の出力直流電圧を得る直列制御型の電源回路が知られている。
【０００３】
一方、入力直流電圧をＯＮ／ＯＦＦ制御して、入力直流電圧をパルス化し、そのパルス化された入力直流電圧の時間幅を制御し、得られたパルス電圧波形を平滑化することで所望の出力直流電圧を得るスイッチング型の電源回路も知られている。（例えば特許文献１参照）
【０００４】
近年、固体半導体メモリ素子を有するメモリカードを記録媒体として、ＣＣＤセンサ等の固体撮像素子で撮像した静止画像や動画像を記録し、さらに再生するデジタルカメラ等の撮像装置が普及している。
【０００５】
それに伴って、電源回路を含む撮像装置の小型化の必要性が高まっている。これらの撮像装置には、通常複数の出力直流電圧を備える電源回路が必要である。撮像装置の小型化という観点からは、集積回路化（ＩＣ化）による小型化が容易な直列制御型の電源回路で構成された安定化電源回路が主に使用されていた。
【０００６】
しかしながら、近年さらにこれらの撮像装置に搭載されたＣＰＵやＤＳＰ（Digital Signal Processor）への印加電圧（動作電圧）が低電圧化しているという傾向にある。上述した従来の方法では、低い動作電圧を直列制御型、すなわち電圧降下型の安定化電源回路により生成して供給することになる。
【０００７】
しかしながら、この場合、電圧源としての電池の出力直流電圧との関係から、電圧制御素子における電力損失が増大し、電力効率が著しく低下すると共に、電源回路を含む集積回路における発熱量が増大する。そのため、直列制御型の電源回路に代えて、効率の良いスイッチング型の電源回路が多く使用される傾向にある。
【特許文献１】特開平９−４７０２３号公報
【発明の開示】
【発明が解決しようとする課題】
【０００８】
しかしながら、これらスイッチング型の電源回路では、一般的に入力直流電圧あるいは出力直流電圧を検出して、出力直流電圧が一定となる制御を行っている。しかし、入力直流電圧の変動や負荷回路の電流の変動に起因する負荷回路の電圧の変化を検知してからの追随であるため、応答性が不十分であった。特に、急激な負荷回路の電流の増大が生じた場合に発生する出力直流電圧の変動が問題になることがある。
【０００９】
例えば、デジタルカメラの場合、負荷回路として、ＣＣＤセンサの信号電荷の読出し時に必要な水平転送パルス信号駆動回路に着目した場合、水平同期信号であるＨＤパルス信号周期で、信号電荷の読出しと非読出し（ブランキング）とを繰り返すことになる。
【００１０】
ここでのパルス信号駆動回路における負荷回路としての電流の急激な変化により、出力直流電圧にサグが発生し、この影響を受け、撮像装置から出力する画像信号に水平方向のサグが発生することがある。これを防止するため、電源回路の出力段に大型のコンデンサを用いるのでは、電源回路の小型化という、望まれる方向に反することになる。
【００１１】
本発明は、上述の課題に鑑みてなされたもので、その目的とするところは、負荷回路の電流の変化に対する追随性がよく、小型化に適した電源装置を提供することである。
【課題を解決するための手段】
【００１２】
上記の目的を達成するため、本願の実施形態に係る電源装置は、入力電圧をスイッチングして接続される機器に出力する電源装置であって、前記入力電圧を検出し、検出された結果に応じた第１の信号を出力する電圧検出手段と、接続される機器と通信し、接続される機器の動作状態に関連する情報を取得する通信制御手段と、電子機器の動作状態に基づいて出力電圧を設定し、設定した出力電圧に関連する第２の信号を出力する電圧設定手段と、前記第１および第２の信号に基づき第３の信号を出力する制御信号発生手段と、
前記第３の信号に基づいて前記入力電圧をスイッチングするスイッチング手段とを有することを特徴とする。
【００１３】
上記の目的を達成するため、本願の他の実施形態に係る電子機器は、動作状態を出力可能な電子機器であって、入力電圧を検出し、検出された結果に応じた第１の信号を出力する電圧検出手段と、電子機器の動作状態に基づいて出力電圧を設定し、設定した出力電圧に関連する第２の信号を出力する電圧設定手段と、前記第１および第２の信号に基づき第３の信号を出力する制御信号発生手段と、前記第３の信号に基づいて前記入力電圧をスイッチングするスイッチング手段とを有することを特徴とする。
【発明の効果】
【００１４】
本発明によれば、負荷回路の電流の変化に対する追随性がよく、小型化に適した電源装置を提供することが可能となる。
【発明を実施するための最良の形態】
【００１５】
＜実施形態１＞
図１は、本発明の第１の実施の形態に係る電源装置の主要部の構成を示すブロック図である。同図において、電源装置１００は、電圧検出部１１０、電圧設定部１２０、制御信号発生部１３０、スイッチング部１４０、平滑部１５０、通信制御部１６０で構成される。
【００１６】
電源装置１００の入力端子Ｔ１、Ｔ２には、後述するように、例えば電池等のような直流電源が接続され、入力直流電圧Ｖｉｎが印加される。また、平滑部１５０の出力端子Ｔ３、Ｔ４には、出力直流電圧Ｖｏｕｔが得られ、そこには、例えばデジタルカメラのアナログ回路やデジタル回路等からなる負荷回路が接続される。
【００１７】
電圧検出部１１０は、入力端子Ｔ１、Ｔ２に印加された入力直流電圧Ｖｉｎ（例えば電源装置１００に搭載された、リチウムイオン等の蓄電池の出力直流電圧）を検出するため、入力直流電圧ＶｉｎをＡ／Ｄ変換部１１１へ入力する。
【００１８】
Ａ／Ｄ変換部１１１は、入力された入力直流電圧Ｖｉｎと基準電圧発生部１１２からの基準電圧Ｖｒとに応じて、所定の信号を生成し、入力直流電圧Ｖｉｎを代表する信号を第１の信号として制御信号発生部１３０へ出力する。
【００１９】
電圧設定部１２０は、電源装置１００の出力端子Ｔ３、Ｔ４より所望の出力直流電圧を出力するため、電源装置１００の出力電圧値の設定等を行う設定部１２１と記憶部１２２とを有し、第２の信号を発生する。
【００２０】
また、制御信号発生部１３０は、このように電圧設定部１２０で設定された出力直流電圧の値に対応する第２の信号と、電圧検出部１１０からの第１の信号とに応じたデューティ比を有するパルス列信号を生成する。これは制御パルス信号であり、第３の信号としてスイッチング部１４０へ出力される。
【００２１】
スイッチング部１４０は、例えば、電界効果トランジスタ（ＦＥＴ）等のスイッチング素子１４１、１４２からなる。そしてスイッチング素子１４１、１４２が制御信号発生部１３０からの第３の信号である制御パルス信号によって駆動されて、端子Ｐ１、Ｐ２間に印加された入力直流電圧Ｖｉｎをスイッチングする。
【００２２】
そして、スイッチング後の信号は、平滑部１５０へ入力され、平滑コイル（出力インダクタ）１５１と出力コンデンサ１５２で平滑化する。平滑して得られた電圧が出力直流電圧として出力端子Ｔ３、Ｔ４より、不図示の負荷回路に対して安定に供給される構成とされている。
【００２３】
通信制御部１６０は、例えば電源装置１００が接続された不図示の機器、この例の場合はデジタルカメラであるが、このデジタルカメラの負荷回路の変動タイミングを知るシステム制御部からの動作情報を電圧設定部１２０に常に供給する様に構成される。
【００２４】
以下、本発明の実施形態に係る電源装置１００について、上記の各構成部分を含めた動作を説明する。
【００２５】
電圧検出部１１０は、先に説明したように、Ａ／Ｄ変換部１１１と基準電圧発生部１１２で構成される。ここで、入力端子Ｔ１、Ｔ２間に印加される入力直流電圧をＶｉｎとすると、電圧検出部１１０は、入力された入力直流電圧Ｖｉｎを代表する値を有するデジタル信号として第１の信号を出力する。なお、そのための具体的な回路構成等については、後述する。
【００２６】
このように、電圧検出部１１０は、入力されたアナログの入力直流電圧ＶｉｎをＡ／Ｄ変換部１１１でデジタル信号に変換する。さらに、その内部に所定の定数を情報として内蔵するメモリに記憶し、上記のようにデジタル変換された信号に、この定数値を乗ずる演算を行って、第１の信号の値であるＡＡ値を出力する。
【００２７】
そのため、電圧検出部１１０は、図１に示すように、Ａ／Ｄ変換部１１１と基準電圧発生部１１２を有する。すなわち、Ａ／Ｄ変換部１１１は、入力直流電圧Ｖｉｎと基準電圧発生部１１２で発生する基準電圧Ｖｒとから、
ＡＡ＝ＦＦ×（Ｖｉｎ／Ｖｒ）    …（１）
で示される第１の信号であるデジタル信号を出力する。ここで、ＦＦは定数値であり、例えば、２５６ビットで表される最大値をとりうる。そして、ＡＡ値を有する第１の信号は、次に制御信号発生部１３０へ入力される。
【００２８】
一方、電源装置１００の出力直流電圧をＶｏｕｔとした場合、その出力直流電圧Ｖｏｕｔは、通信制御部１６０からの動作情報に基づいて設定される。出力直流電圧Ｖｏｕｔの設定は、設定部１２１と記憶部１２２とで構成される電圧設定部１２０の設定部１２１で設定される。そして、設定部１２１にて設定した出力直流電圧Ｖｏｕｔの設定値は、記憶部１２２を更新する形で記憶される。
【００２９】
記憶部１２２は、更新された設定値をデジタルデータとして記憶する。そして、記憶部１２２は、元々電源装置１００の動作に関する標準的な値を記憶しているが、更新されて記憶している設定値であるデジタルデータを、ＸＸ値を有する第２の信号として、所定のクロックレートで制御信号発生部１３０へ出力する。
【００３０】
制御信号発生部１３０は、電圧検出部１１０からのＡＡ値である第１の信号と、電圧設定部１２０からのＸＸ値である第２の信号とから、例えば、
Ｄｔ＝ＸＸ／ＡＡ…（２）
で表されるデューティ比のパルス列（ＰＷＭ変調）された波形を有する制御パルス信号である第３の信号を発生する。なお、ここでは、ＡＡ値を有する第１の信号、およびＸＸ値を有する第２の信号は、制御パルス信号である第３の信号のデューティ比Ｄｔが、
Ｄｔ＝Ｖｏｕｔ／Ｖｉｎ    …（３）
の関係となるように調整されている。そのためには、第２の信号のＸＸ値は、第１の信号のＡＡ値以下で、かつ、
ＸＸ＝ＡＡ×Ｖｏｕｔ／Ｖｉｎ
の条件を満たす必要がある。
【００３１】
図１に示す電源装置１００によれば、その平滑部１５０の出力には、スイッチング部１４０からのＰＷＭ波形の平均値が平滑されて出力直流電圧Ｖｏｕｔとされる。よって、上記の式（２）、（３）から、
Ｖｏｕｔ＝Ｖｉｎ×Ｄｔ＝Ｖｉｎ×（ＸＸ／ＡＡ）    …（４）
となり、式（４）に、上記の式（１）を代入すると、出力直流電圧Ｖｏｕｔは、
Ｖｏｕｔ＝ＸＸ×Ｖｒ／ＦＦ    …（５）
で表される。
【００３２】
このようにして得られた式（５）によれば、出力直流電圧Ｖｏｕｔは、定数である基準電圧Ｖｒ及びＦＦと、動作に関する動作情報に基づく設定電圧に関連する記憶部１２２の記憶している値、すなわち第２の信号であるＸＸ値のみで決まる一定値となる。つまり、電源装置１００の出力直流電圧Ｖｏｕｔは、入力直流電圧Ｖｉｎに関係せず、安定な出力直流電圧Ｖｏｕｔとすることができることが理解される。
【００３３】
図２は、本発明の実施形態に係る電源装置１００の詳細な回路構成を示す一例のブロック図である。図１に対応する部分は、概略的に明示した。また、図３は、図２に示す電源装置１００の詳細な回路構成の主要部分における信号波形を示すタイミングチャートである。基本的な動作については、図１で説明したので、同じ機能を有する回路部分には同じ参照符号を付して、図２の構成の説明は簡単にする。
【００３４】
図２に示すＡ／Ｄ変換部１１１の端子Ｖｉｎには、入力直流電圧（例えば、電池２０１の出力直流電圧）Ｖｉｎが印加され、同時に、基準電圧入力端子Ｖｒｅｆには、基準電圧発生部１１２で生成された基準電圧Ｖｒが印加されている。
【００３５】
Ａ／Ｄ変換部１１１は、上記の基準電圧Ｖｒに対する入力直流電圧Ｖｉｎを常時検出し、その結果に応じた値を、８ビットのデジタル信号Ｂ１〜Ｂ８に変換して出力する。そして、この信号は、上述した第１の信号の値であるＡＡ値として、次段のカウンタ（ＣＮＴ１）２０２の入力端子Ａ〜Ｈへ入力される。
【００３６】
一方、通信制御部１６０からの動作情報に基づく出力直流電圧Ｖｏｕｔの設定値に応じて、設定部１２１で設定された設定データは、記憶部１２２のレジスタの入力端子Ａ〜Ｈへ入力される。このデータは、電源装置１００から所望の出力直流電圧Ｖｏｕｔを得るための設定データであり、上述した第２の信号の値であるＸＸ値として、記憶部１２２のレジスタ出力端子Ｑ１〜Ｑ８より、次段のカウンタ（ＣＮＴ２）２０３の入力端子Ａ〜Ｈへ入力される。
【００３７】
カウンタ（ＣＮＴ１）２０２、およびカウンタ（ＣＮＴ２）２０３は、プリセッタブルダウンカウンタである。カウンタ２０２には、Ａ／Ｄ変換部１１１からの出力であるＡＡ値が、また、カウンタ２０３へは、記憶部１２２からの設定データであるＸＸ値が、それぞれ、カウンタ２０２のタイムアウトに同期してプリセットされる。
【００３８】
すなわち、図３において、波形ＣＮＴ１に示すように、カウンタ（ＣＮＴ１）２０２のカウント値が０になる。それに伴って、フリップフロップ（ＦＦ１）２０４の出力である波形Ｂが論理０になると、次のクロックの波形ＣＬＫの立ち上がりに同期して、ＦＦ２（２０５）のＱ出力が論理０になる（このとき、Ｑの反転出力は、言うまでもなく論理１である）。そのため、一方の端子にクロックの波形ＣＬＫが入力され、他の端子にＦＦ２からの反転出力を受けたＡＮＤ回路２０６の出力は、図３の波形Ｄに示すように、論理０から論理１へ推移する。
【００３９】
ＡＮＤ回路２０６の出力端は、カウンタ（ＣＮＴ１）２０２とカウンタ（ＣＮＴ２）２０３のＬｏａｄ端子に接続されている。したがって、これらのカウンタ２０２、２０３では、上述したＡＮＤ回路２０６の出力パルスの立ち上がりに同期して、上記のＡＡ値及びＸＸ値のプリセットが行われる（図３の波形ＣＮＴ１及びＣＮＴ２を参照）。
【００４０】
上記のプリセットの後、カウンタ（ＣＮＴ１）２０２、カウンタ（ＣＮＴ２）２０３ともに、入力されるクロックに従って、設定されたそれぞれの値（プリセット値）がダウンカウントされる。そして、カウント値が０になると、それぞれのカウンタ２０２、２０３の出力端（Ｂ１〜Ｂ８）に接続された、８入力のＮＯＲ回路２０７、２０８の出力が論理１になる。
【００４１】
このように、ＮＯＲ回路２０７、２０８の出力が論理１になると、ＦＦ２０４、２０９がリセットされ、カウンタ２０２、２０３でのカウント動作も停止する。通常、上述したデューティ比Ｄｔは、Ｄｔ＜１であるから、上記の式（２）より、通常の動作状態において、ＸＸ＜ＡＡである。よって、図３に示すように、カウンタ（ＣＮＴ２）２０３の方が、カウンタ（ＣＮＴ１）２０２よりも早く、カウントを停止する。
【００４２】
上述したように、本電源装置１００は、カウンタ（ＣＮＴ１）２０２のタイムアウトに同期して、カウンタ（ＣＮＴ１）２０２とカウンタ（ＣＮＴ２）２０３へのプリセットが行われる。そして、そのカウント値が０になると、次のクロックで、再度、プリセットを行う動作を繰り返す。そのため、カウンタ（ＣＮＴ１）２０２でのカウント周期は、ＡＡ値に比例した長さとなり、また、カウンタ（ＣＮＴ２）２０３におけるカウント周期は、ＸＸ値に比例した長さとなる。
【００４３】
ここで、図２のＥ点における波形（図３の波形Ｅを参照）に着目すると、カウンタ（ＣＮＴ２）２０３が、設定されたＸＸ値をカウントダウンしている期間、Ｅ点の波形は、論理１になっている。そして、カウントダウン終了後に論理０になり、上述したＡＮＤ回路２０６の出力パルスの立ち上がりに同期して、再び論理１になる。つまり、Ｅ点の波形は、その繰り返し周期がＡＡ値で決まり、そのデューティ比は、ＸＸ／ＡＡで決まる。
【００４４】
そこで、本電源装置１００では、Ｅ点の波形をＰＷＭ波形、すなわち第３の信号である制御パルス信号として、バッファ２１０を介して、スイッチング素子１４１、１４２へ導き、これらのスイッチング素子１４１、１４２の駆動信号として使用している。
【００４５】
なお、これらのスイッチング素子１４１、１４２は、チャネルタイプの異なる２個のＭＯＳ−ＦＥＴ（電界効果トランジスタ）であり、例えば、スイッチング素子１４１がｐチャネルＭＯＳ、スイッチング素子１４２がｎチャネルＭＯＳである。
【００４６】
図２に示すように、スイッチング素子１４１、１４２は、それらのゲートが相互に接続され、その接続点に、バッファ２１０より駆動用の制御パルス信号が供給されている。また、スイッチング素子１４１のソースが、電源供給源である電池２０１の＋端子に直結され、スイッチング素子１４２のソース側が、本電源装置の接地側（電池２０１の−端子）に結合される構成をとっている。そして、スイッチング部１４０のスイッチング素子１４１、１４２のドレイン相互の接続点が、平滑部１５０の出力インダクタ１５１に接続されている。
【００４７】
図４は、バッファ２１０を介して２つのスイッチング素子１４１、１４２へ供給される駆動波形（ゲートに印加される波形）、およびスイッチング素子１４１、１４２に流れる電流の波形を示している。図４の（ａ）は、スイッチング素子１４１、１４２のゲートに印加される制御パルス信号である第３の信号のパルス列の信号波形を模式的に示しており、上述したデューティ比ＸＸ／ＡＡで、ＯＮ／ＯＦＦを繰り返す波形を有している。そして、各々のスイッチング素子１４１、１４２は、一方がＯＮ状態にあるとき、他方がＯＦＦ状態となる。
【００４８】
すなわち、ゲートに論理１のパルスが印加されると、スイッチング素子１４２がＯＮ、スイッチング素子１４１がＯＦＦとなり、ゲート電圧が論理０の場合、その逆の状態になる。図４の（ｂ）は、スイッチング素子１４１を流れる電流ｉ１を示しており、また、スイッチング素子１４２には、同図の（ｃ）示す電流ｉ２が流れる。
【００４９】
このように２つのスイッチング素子１４１、１４２がスイッチング動作する。これにより、入力端子Ｔ１、Ｔ２間に印加された入力直流電圧Ｖｉｎは、制御信号発生部１３０から出力されるパルス列のデューティ比を持ったパルス波形の電圧として、平滑部１５０に入力される。なお、平滑部１５０は、出力インダクタ１５１と出力コンデンサ１５２で構成され、スイッチング素子１４２は、スイッチング素子１４１がＯＦＦのとき、出力インダクタ１５１に蓄積されたエネルギーを放出する働きをする。
【００５０】
このように構成された本発明に係る電源装置１００の制御方法について、図５及び図６を参照して、説明する。図５においても、同じ機能を示す部分には同じ参照符号を付した。
【００５１】
図５に示すように、本電源装置１００の入力端子Ｔ１、Ｔ２に接続される直流電源２０１は、等価的に、直流電圧源５０２、出力抵抗（内部抵抗）５０３、を直列接続した回路で表わすことができる。本電源装置１００の出力端子Ｔ３、Ｔ４に接続されたデジタクカメラである負荷回路５１０が、例えば、水平転送パルス信号駆動回路であるとする。この場合、水平同期信号であるＨＤパルス信号周期で、信号電荷読出しと非読出し（ブランキング）との間で、駆動する電流に急激な変化が発生する。
【００５２】
この場合、その負荷回路の変動によって、図６の（ｂ）に示すように、時刻Ｔ１において、負荷回路電流ＩｏｕｔがＩｏ１からＩｏ２へ急激に変化したとする。尚、図６の（ａ）は、ＨＤパルス信号（ＨＤ）とブランキング信号（ＰＢＬＫ）を示す。直流電源２０１側では、この電流変化に追随するために、その出力電流Ｉｉｎが増大し、それに伴って、直流電源２０１の内部抵抗（内部抵抗）５０３による電圧降下が生ずる。
【００５３】
そのときの様子を、図６の（ｃ）に示す。すなわち、負荷回路５１０の電流がＩｏ１からＩｏ２へ変化することで、入力直流電圧ＶｉｎがＶｉ１からＶｉ２へ降下する。それにより、上記式（１）〜式（５）で説明した、前記電圧検出部１１０の出力ＡＡ値が、あらかじめ、例えばＡＡ１からＡＡ２に低下する。これは予め分かっているとする。
【００５４】
このような場合、この変動に先だって、出力直流電圧Ｖｏｕｔを一定にするには、電圧設定部１２０の出力である第２の信号のＸＸ値を、例えばＸＸ１からＸＸ２に増やす必要があることが分かる。
【００５５】
ここで、デジタルカメラのシステム制御部５２０は、水平同期信号であるＨＤパルス信号周期で生じる負荷回路５１０変化の発生タイミングはわかっている。その情報を受けることができる本電源装置１００は、負荷回路５１０の変化の発生タイミングで、電圧設定部１２０の出力であるＸＸ値を、例えばＸＸ１からＸＸ２に変更することができる。
【００５６】
このように、本電源装置１００に接続される機器の負荷回路５１０の変動タイミングを知るシステム制御部５２０の動作情報に基づき、出力直流電圧Ｖｏｕｔに関連する設定値を、負荷回路５１０の変化の発生タイミングで変更する。これにより、出力直流電圧Ｖｏｕｔを、急激な出力電流の変化に対し、応答性良く安定な値とすることができる。それにより、急激な出力電流の変化に対応するための大容量のコンデンサが不要になり、結果として、電源装置の小型化が容易になる。
【００５７】
なお、電圧設定部１２０の出力のＸＸ値である、例えばＸＸ１、ＸＸ２のデータは、あらかじめ取得し、システム制御部５２０が保有しておき、負荷回路５１０変化の発生タイミングで、本電源装置１００の通信制御部１６０に送信する。電圧検出部１１０から出力される第１の信号を、通信制御部１６０を介し、システム制御部５２０に送信する。これにより例えば、機器の起動時や運転中に、記憶部１２２のデータを取得し、更新することが可能となる。
【００５８】
また、本電源装置１００の記憶部１２２に、例えばＸＸ１値、ＸＸ２値の記憶する部分をさらに設けておけば、複雑な通信制御部１６０は不要となる。この場合簡単な通信で、システム制御部５２０からの負荷回路５１０の変動のタイミング信号のみが、設定情報として受信できれば良いことになる。この場合も、電圧検出部１１０から出力される第１の信号と記憶部１２２に格納されている第２の信号を、例えば、機器の起動時や動作中に、取得して更新することが可能となる。
【００５９】
更に、本実施形態では、電源動作に関連する設定値が、出力直流電圧に関連する設定値である場合について説明したが、電源動作に関連する情報として、負荷回路の応答性に関連する設定値であってもよい。具体的には、負荷回路の変化の発生タイミングで、伝達関数を変更することで、急激な出力電流の変化に対し、応答性良く、安定な値とすることができる。
【００６０】
以上説明した本発明によれば、負荷回路の動作状態に応じて制御することで、つねに安定した出力直流電圧を供給可能な電源装置を提供することが可能となる。
【００６１】
本発明は、上述した実施の形態に限定されるものではなく、本発明の趣旨を逸脱しない範囲において、種々変形が可能である。例えば、上記の実施の形態では、入力されたデジタル信号を処理する制御用論理回路等にデジタルのカウンタ回路を使用した。しかしながら、これらに代えて、マイクロプロセッサやデジタル信号処理装置（ＤＳＰ）等を用いて所定の演算を実行し、等価的にデューティ比ＸＸ／ＡＡのパルス波形（スイッチング波形）を生成するようにしてもよい。
【００６２】
また、本発明は、前述した実施形態の機能を実現するソフトウェアのプログラムコードを記録した記憶媒体を、システムあるいは装置に供給することによっても実施可能である。すなわち本発明の目的は、そのシステムあるいは装置のコンピュータ（またはＣＰＵやＭＰＵ）が記憶媒体に格納されたプログラムコードを読出し実行することによっても達成される。
【００６３】
この場合、記憶媒体から読出されたプログラムコード自体が前述した実施形態の機能を実現することになり、そのプログラムコードを記憶した記憶媒体は本発明を構成することになる。プログラムコードを供給するための記憶媒体としては、例えばフレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００６４】
また、コンピュータが読出したプログラムコードを実行することで、前述した実施形態の機能が実現されるだけでなく、そのプログラムコードの指示に基づき、コンピュータ上で稼働しているＯＳなどが実際の処理の一部または全部を行うこともありうる。それにより、本発明は、その処理によって前述した実施形態の機能が実現される場合も含まれる。
【００６５】
さらに本発明においては、記憶媒体から読出されたプログラムコードが、コンピュータに挿入された機能拡張ボードやコンピュータに接続された機能拡張ユニットに備わるメモリに書込まれて実施することも可能である。したがって、書込まれプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【００６６】
【図１】本発明の実施形態に係る電源装置の主要部の概略構成を示すブロック図である。
【図２】本発明の実施形態に係る電源装置の詳細な回路構成を示す一例のブロック図である。
【図３】図２に示す電源装置の詳細な回路構成の主要部分における動作を説明するための信号波形を示すタイミングチャートである。
【図４】図２に示す電源装置の詳細な回路構成で使用されるスイッチング素子へ供給される駆動波形、および電流波形を示す図である。
【図５】本発明の実施形態に係る電源装置の動作を説明するための図である。
【図６】図５に示した本発明の実施形態に係る電源装置の動作を説明するための信号波形を示すタイミングチャートである。
【符号の説明】
【００６７】
１１０  電圧検出部
１１１  Ａ／Ｄ変換部
１１２  基準電圧発生部
１２０  電圧設定部
１２１  設定部
１２２  記憶部
１３０  制御信号発生部
１４０  スイッチング部
１４１、１４２  スイッチング素子
１５０  平滑部
１５１  平滑コイル
１５２  出力コンデンサ
１６０  通信制御部
２０１  直流電源
２１０  バッファ
５０２  直流電圧源
５０３  出力抵抗（内部抵抗）
５１０  負荷回路
５２０  システム制御部
【図１】
2009005524.tif 000003
【図２】
2009005524.tif 000004
【図３】
2009005524.tif 000005
【図４】
2009005524.tif 000006
【図５】
2009005524.tif 000007
【図６】
2009005524.tif 000008